【手続補正書】
【提出日】平成27年6月5日(2015.6.5)
【手続補正１】
【補正対象書類名】特許請求の範囲
【補正対象項目名】全文
【補正方法】変更
【補正の内容】
【特許請求の範囲】
【請求項１】
膜を介して透過物収容空間と物質移動連通して配置されているガス状供給材料収容空間に供給されるガス状供給材料から、少なくとも１つのガス状透過物配置機能性材料の分離を行う方法であって、ガス状供給材料は、ガス状供給材料配置機能性材料を規定する機能性材料を含み、膜はゲルを含む方法であって、
ガス状供給材料をガス状供給材料収容空間に供給し、ガス状供給材料をガス状供給材料収容空間に供給することが行われている間、膜を介してガス状供給材料収容空間からガス状供給材料配置機能性材料の少なくとも分離画分の透過物収容空間への透過を行うステップであって、ガス状供給材料配置機能性材料の少なくとも１つの分離画分の透過物収容空間への透過は、ガス状透過物配置機能性材料の生成をもたらし、透過は、前記ガス状供給材料収容空間および透過物収容空間の間と同様に、機能性材料の化学ポテンシャルの差異に応答してもたらされ、透過は膜を介してガス状供給材料配置機能性材料の担体輸送画分を輸送することを含み、ガス状供給材料配置機能性材料の担体輸送画分は、ガス状供給材料配置機能性材料の少なくとも分離画分の少なくとも１つの画分によって規定され、ガス状供給材料配置機能性材料の少なくとも１つの担体輸送画分が膜を介して透過物収容空間に向けて輸送されている間、かつ膜を介しての透過物収容空間に向けてのガス状供給材料配置機能性材料の少なくとも担体輸送画分の輸送の少なくとも１つの画分の間、ガス状供給材料配置機能性材料の少なくとも１つの担体輸送画分は、膜ゲル内に配置されている液体材料中に溶解している担体材料と結合しているステップと、
膜と補給液体材料の接触に応答して、補給液体材料の少なくとも１つの画分が膜ゲル内に置かれるように、膜と補給液体材料の接触を行うステップであって、補給液体材料は、補給液体材料配置液体材料中に溶解している補給液体材料配置担体材料を含み、補給液体材料の補給液体材料配置液体材料は補給液体材料の液体材料を規定し、補給液体材料配置液体材料中に溶解している補給液体材料配置担体材料は補給液体材料に溶解している担体材料を規定するステップと、
を含むことを特徴とする方法。
【請求項２】
膜と補給液体材料の接触を行うステップは、ガス状供給材料をガス状供給材料収容空間に供給するステップが行われている間に行われることを特徴とする、請求項１に記載の方法。
【請求項３】
膜と補給液体材料の接触を行うステップは、周期の少なくとも１つの間に供給される補給液体材料中に溶解している担体材料の最低濃度が、周期の別の少なくとも１つの間に供給される補給液体材料中に溶解している担体材料の最大濃度よりも高くなるように、周期的であることを特徴とする、請求項２に記載の方法。
【請求項４】
膜と補給液体材料の接触を行うステップは、ガス状供給材料をガス状供給材料収容空間に供給するステップが中断された後で行われることを特徴とする、請求項１に記載の方法。
【請求項５】
第１の液体補給の時間間隔が完了するよう、膜と補給液体材料の接触を行うステップを中断するステップと、
膜と補給液体材料の接触を行うステップが中断された後のガス状供給材料をガス状供給材料収容空間に供給するステップの再開を、ガス状供給材料をガス状供給材料収容空間に供給するステップの再開が行われている間に、ガス状供給材料収容空間からのガス状供給材料配置機能性材料の少なくとも１つの分離画分の、膜を介した透過物収容空間への透過が行われるように、行うステップと、
ガス状供給材料収容空間にガス状供給材料を供給するステップの再開を中断するステップと、
ガス状供給材料をガス状供給材料収容空間に供給するステップの再開を中断するステップが行われた後の膜と補給液体材料の接触を行うステップの再開を、膜と補給液体材料の接触が行われている第２の液体補給時間間隔がもたらされるように、行うステップと
をさらに含むこと、
を特徴とする、請求項４に記載の方法。
【請求項６】
第１の液体補給の時間間隔および第２の液体補給の時間間隔の一方の間に供給される補給液体材料中に溶解している担体材料の最低濃度は、第１の液体補給の時間間隔および第２の液体補給の時間間隔の他方の間に供給される補給液体材料中に溶解している担体材料の最大濃度よりも高いことを特徴とする、請求項５に記載の方法。
【請求項７】
膜は多糖を含むことを特徴とする、請求項１から６のいずれか一項に記載の方法。
【請求項８】
膜はキトサンを含むことを特徴とする、請求項１から７のいずれか一項に記載の方法。
【請求項９】
機能性材料は、少なくとも１つの機能性化合物を含むことを特徴とする、請求項１から８のいずれか一項に記載の方法。
【請求項１０】
少なくとも１つの機能性化合物は、オレフィンを含むことを特徴とする、請求項９に記載の方法。
【請求項１１】
担体材料は、少なくとも１つの金属陽イオンを含むことを特徴とする、請求項１から１０のいずれか一項に記載の方法。
【請求項１２】
担体材料は、銀イオンおよび銅イオンの少なくとも１つを含むことを特徴とする、請求項１から１０のいずれか一項に記載の方法。
【請求項１３】
液体材料は水を含むことを特徴とする、請求項１から１２のいずれか一項に記載の方法。
【請求項１４】
液体材料は水であることを特徴とする、請求項１から１２のいずれか一項に記載の方法。
【請求項１５】
補給液体材料は水溶液を含むことを特徴とする、請求項１から１４のいずれか一項に記載の方法。
【請求項１６】
膜と補給液体材料の接触を行うステップは、膜ゲル中に配置されている液体材料の少なくとも１つの画分が枯渇した後に行われることを特徴とする、請求項１から１５のいずれか一項に記載の方法。
【請求項１７】
膜と補給液体材料の接触を行うステップは、膜ゲル中に配置されている前記液体材料の少なくとも１つの画分の枯渇の検知に応答して行われることを特徴とする、請求項１から１５のいずれか一項に記載の方法。
【請求項１８】
膜モジュール内で行われる方法であって、ガス状供給材料収容空間および透過物収容空間は、個々の区画により規定されており、補給液体材料の、ガス状供給材料収容区画および透過物収容区画のどちらか一方、またはそれらの両方への供給は、膜と補給液体材料の接触を行うために、補給液体材料を上向きの方向に流通させることにより行われること
を特徴とする、請求項１から１７のいずれか一項に記載の方法。
【請求項１９】
補給液体材料は、輸送が、ガス状供給材料収容空間および透過物収容空間の一方から、膜を介してガス状供給材料収容空間および透過物収容空間の他方に行われるように、ガス状供給材料収容空間および透過物収容空間の一方に供給され、ガス状供給材料収容空間および透過物収容空間の他方内の圧力は、大気圧未満であることを特徴とする、請求項１から１８のいずれか一項に記載の方法。
【請求項２０】
膜は多糖を含み、補給液体材料は、銀イオンを少なくともモル濃度１．０で含む水溶液を含むことを特徴とする、請求項１から１９のいずれか一項に記載の方法。
【請求項２１】
補給液体材料は、補給液体材料の合計重量基準で、１０から９０重量％の間の水を含むことを特徴とする、請求項１から２０のいずれか一項に記載の方法。
【請求項２２】
ガス状供給材料配置機能性材料の少なくとも１つの分離画分の透過は、少なくとも１つの透過遅延化合物が、ガス状供給材料収容空間から膜を介して透過物収容空間へ透過している間に行われることを特徴とする、請求項１から２１のいずれか一項に記載の方法。
【請求項２３】
ガス状供給材料配置機能性材料の少なくとも１つの分離画分は、少なくとも１つの機能性化合物を含み、ガス状供給材料配置機能性材料の少なくとも１つの分離画分の少なくとも１つの機能性化合物の各々について、機能性化合物の透過のモル速度とガス状供給材料収容空間中の機能性化合物のモル分率の比によって定義される機能性化合物関連作用比は、複数の機能性化合物関連作用比が規定され、複数の機能性化合物関連作用比の少なくとも１つが最小の機能性化合物関連作用比となるようにもたらされ、少なくとも１つの透過遅延透過化合物の各々について、透過遅延化合物の透過のモル速度とガス状供給材料収容空間中の透過遅延化合物のモル分率の比は、少なくとも１つの機能性化合物の各々について、ガス状供給収容空間から膜を介して透過物収容空間に透過される、ガス状透過物中の機能性材料のモル濃度が、ガス状供給材料中の機能性化合物のモル濃度よりも高くなるように、最小の機能性化合物関連作用比よりも小さくすることを特徴とする、請求項２２に記載の方法。
【請求項２４】
透過が行われている間、ガス状透過物は、ガス状透過生成物として透過物収容空間から排出されることを特徴とする、請求項２２または２３に記載の方法。
【請求項２５】
少なくとも１つの透過遅延化合物の各々は、パラフィンであることを特徴とする、請求項２２から２４のいずれか一項に記載の方法。
【請求項２６】
膜を介して透過物収容空間と物質移動連通して配置されているガス状供給材料収容空間に供給されるガス状供給材料から、少なくとも１つのガス状透過物配置機能性材料の分離を行う方法であって、ガス状供給材料は、ガス状供給材料配置機能性材料を規定する機能性材料を含み、膜はゲルを含む方法であって、
ガス状供給材料をガス状供給材料収容空間に供給し、膜を介してガス状供給材料収容空間からガス状供給材料配置機能性材料の少なくとも１つの分離画分の透過物収容空間への透過を行う間であって、ガス状供給材料配置機能性材料の少なくとも１つの分離画分の透過物収容空間への透過は、ガス状透過物配置機能性材料の生成をもたらし、透過は、ガス状供給材料収容空間および透過物収容空間の間と同様に、機能性材料の化学ポテンシャルの差異に応答してもたらされ、透過は膜を介してガス状供給材料配置機能性材料の担体輸送画分を輸送することを含み、ガス状供給材料配置機能性材料の担体輸送画分は、ガス状供給材料配置機能性材料の少なくとも１つ分離画分の少なくとも１つの画分によって規定され、ガス状供給材料配置機能性材料の少なくとも１つの担体輸送画分が膜を介して透過物収容空間に向かって輸送されている間、かつ膜を介しての透過物収容空間に向かってのガス状供給材料配置機能性材料の少なくとも１つの担体輸送画分の輸送の少なくとも１つの画分の間、ガス状供給材料配置機能性材料の少なくとも１つの担体輸送画分は、膜ゲル内に配置されている液体材料中に溶解している担体材料と結合している間に、膜と補給液体材料の接触に応答して、補給液体材料の少なくとも１つの画分が前記膜ゲル内に置かれるように、膜と補給液体材料の接触を周期的に行うステップであって、補給液体材料は、補給液体材料配置液体材料中に溶解している補給液体材料配置担体材料を含み、補給液体材料の補給液体材料配置液体材料が補給液体材料の液体材料を規定し、補給液体材料配置液体材料中に溶解している補給液体材料配置担体材料は補給液体材料に溶解している担体材料を規定するステップと、
を含むことを特徴とする方法。
【請求項２７】
膜を介して透過物収容空間と物質移動連通して配置されているガス状供給材料収容空間に供給されるガス状供給材料から、少なくとも１つのガス状透過物配置機能性材料の分離を行う方法であって、ガス状供給材料は、ガス状供給材料配置機能性材料を規定する機能性材料を含み、膜はゲルを含む方法であって、１組の繰り返しステップを含み、
１組の繰り返しステップはガス状供給材料をガス状供給材料収容空間に供給し、ガス状供給材料をガス状供給材料収容空間に供給することが行われている間、膜を介してガス状供給材料収容空間からガス状供給材料配置機能性材料の少なくとも分離画分の透過物収容空間への透過を行うステップであって、ガス状供給材料配置機能性材料の少なくとも１つの分離画分の透過物収容空間への透過は、ガス状透過物配置機能性材料の生成をもたらし、透過は、ガス状供給材料収容空間および透過物収容空間の間と同様に、機能性材料の分圧の差異に応答してもたらされ、透過は膜を介してガス状供給材料配置機能性材料の担体輸送画分を輸送することを含み、ガス状供給材料配置機能性材料の担体輸送画分は、ガス状供給材料配置機能性材料の少なくとも１つの分離画分の少なくとも１つの画分によって規定され、ガス状供給材料配置機能性材料の少なくとも１つの担体輸送画分が膜を介して透過物収容空間に輸送されている間、かつ膜を介しての透過物収容空間に向かってのガス状供給材料配置機能性材料の少なくとも１つの担体輸送画分の輸送の少なくとも一部の間、ガス状供給材料配置機能性材料の少なくとも１つの担体輸送画分は、膜ゲル内に配置されている液体材料中に溶解している担体材料と結合しているステップと、
ガス状供給材料収容空間にガス状供給材料を供給するステップを中断するステップと、
ガス状供給材料を供給するステップを中断するステップが行われた後、膜と補給液体材料の接触に応答して、補給液体材料の少なくとも１つの画分が膜ゲル内に置かれるように、膜と補給液体材料の接触を行うステップであって、補給液体材料は、補給液体材料配置液体材料中に溶解している補給液体材料配置担体材料を含み、補給液体材料の補給液体材料配置液体材料は補給液体材料の液体材料を規定し、補給液体材料配置液体材料中に溶解している補給液体材料配置担体材料は補給液体材料に溶解している担体材料を規定するステップと、
膜に補給液体材料の接触を行うステップを中断するステップと、
を含むことを特徴とする方法。
【請求項２８】
透過が行われている間に、機能性材料が、液体材料中に溶解している担体材料に結合しているよう、液体材料を含むゲルを含む膜を介して機能性材料の透過を行うステップと、
液体材料が枯渇したとき、膜中の液体材料を補給するステップであって、補給するステップは、膜と溶解した担体材料を含む補給液体材料を接触させるステップを含むステップと
を含むことを特徴とする透過方法。
【請求項２９】
膜は多糖を含むことを特徴とする、請求項２８に記載の方法。
【請求項３０】
膜はキトサンを含むことを特徴とする、請求項２８に記載の方法。
【請求項３１】
機能性材料は、少なくとも１つの機能性化合物を含むことを特徴とする、請求項２８から３０のいずれか一項に記載の方法。
【請求項３２】
少なくとも１つの機能性化合物は、オレフィンを含むことを特徴とする、請求項３０に記載の方法。
【請求項３３】
担体材料は、少なくとも１つの金属陽イオンを含むことを特徴とする、請求項２８から３２のいずれか一項に記載の方法。
【請求項３４】
担体材料は、銀イオンおよび銅イオンの少なくとも１つを含むことを特徴とする、請求項２８から３２のいずれか一項に記載の方法。
【請求項３５】
液体材料は水を含むことを特徴とする、請求項２８から３３のいずれか一項に記載の方法。
【請求項３６】
液体材料は水であることを特徴とする、請求項２８から３３のいずれか一項に記載の方法。
【請求項３７】
補給液体材料は水溶液を含むことを特徴とする、請求項２８から３６のいずれか一項に記載の方法。
【請求項３８】
前記膜はポリマー材料を含むこと特徴とする請求項１から６、または２８のいずれか一項に記載の方法。
【請求項３９】
前記担体材料は、ポリマー材料と錯体形成をするか、またはキレートを形成することを特徴とする請求項８から２６、または２８から３６のいずれか一項に記載の方法。